(57)【特許請求の範囲】
【請求項１】
ＲＦＩＤメディアを検出するための検出用信号を出力する検出用信号出力手段と、
ＲＦＩＤメディアに対する通信用データを出力する制御手段と、
前記検出用信号出力手段から出力された検出用信号、及び前記制御手段から出力されて変調された通信用データを送信し、前記通信用データに対するＲＦＩＤメディアからの受信データを受信する送受信手段とを有し、
前記制御手段が、
前記検出用信号出力手段に前記検出用信号を一定時間毎に間欠出力させて当該検出用信号を前記一定時間毎に前記送受信手段を介して間欠送信するとともに、周囲環境による前記送受信手段における前記検出用信号の値の変化を検出する動作を行う低消費電力モードと、
前記通信用データを出力して当該通信用データを前記送受信手段を介して送信するとともに、前記受信データを前記送受信手段を介して受信する動作を行う通常電力モードとを有し、
前記低消費電力モードにて前記送受信手段における前記検出用信号の値が基準値として設定された値から変化した場合に前記通常電力モードに移行し、前記通常電力モードにおける処理が終了した場合または前記通常電力モードにて前記通信用データに対する受信データが前記送受信手段を介して受信されない場合に前記低消費電力モードに移行するリーダ／ライタ装置において、
前記制御手段は、前記低消費電力モードとして動作を開始する際に、前記送受信手段における前記検出用信号の値を前記基準値として設定することを特徴とするリーダ／ライタ装置。
【発明の詳細な説明】
【技術分野】
【０００１】
本発明は、非接触型ＩＣカード等のＲＦＩＤメディアに対して情報の書き込みや読み出しを行うリーダ／ライタ装置に関し、特に、周囲環境の変化に伴うＲＦＩＤメディアの誤検出を回避する技術に関する。
【背景技術】
【０００２】
近年、カードやラベルに対して非接触状態にて情報の読み出しや書き込みを行うことが可能なＩＣが搭載された非接触型ＩＣカードや非接触型ＩＣラベル等のＲＦＩＤメディアがその優れた利便性から急速に普及しつつある。このようなＲＦＩＤメディアは、リーダ／ライタ装置に近接させることによって、リーダ／ライタ装置から電源が供給され、情報の読み出しや書き込みが行われる。
【０００３】
一般にリーダ／ライタ装置は、いわゆるポーリングと呼ばれる、ＲＦＩＤメディアに対する問いかけ信号の送信を常時行っており、この問いかけ信号に対する応答信号を受信した場合に、ＲＦＩＤメディアが近接していると判断し、ＲＦＩＤメディアに対するデータの送受信を行う。そのため、問いかけ信号の常時送信により、ＲＦＩＤメディアが近接していない状態においても電力が消費され続けることとなり、省電力化の面で好ましくない。
【０００４】
そこで、非接触ＩＣカードを用いた非接触式カード錠であって、待機状態においてはカード検出手段のみに駆動電源を供給し、カード検出手段にて非接触ＩＣカードを検出した場合に、非接触ＩＣカードと通信を行う通信手段に駆動電源を供給することで省電力化を図る技術が、特許文献１に開示されている。特許文献１に開示された技術においては、カード検知手段においてカード検知用信号を周期的に出力し、このカード検知用信号に対して、予め決められた値を有する応答信号を受信した場合に、非接触ＩＣカードが近接していると判断している。
【先行技術文献】
【特許文献】
【０００５】
【特許文献１】特開２００５−２３７３４号公報
【発明の概要】
【発明が解決しようとする課題】
【０００６】
上述したようなリーダ／ライタ装置においては、ＲＦＩＤメディアが近接していない場合でも金属等が近接している場合、アンテナ側のインピーダンスの値が変化し、それにより、カード検知用信号の値が変化する。そのため、ＲＦＩＤメディアが近接していると判断するカード検知用信号の値を設定した後、リーダ／ライタ装置の近傍に空き缶や鉄板等が放置されている場合、その空き缶等によってカード検知用信号の値が変化し、リーダ／ライタ装置にＲＦＩＤメディアが近接していないにも関わらず、ＲＦＩＤメディアが近接していると判断されたり、リーダ／ライタ装置にＲＦＩＤメディアが近接しているにも関わらず、ＲＦＩＤメディアが近接していないと判断されたりしてしまう虞れがある。
【０００７】
本発明は、上述したような従来の技術が有する問題点に鑑みてなされたものであって、ＲＦＩＤメディアに対して情報の書き込みや読み出しを行うリーダ／ライタ装置において、省電力化を図りながらも周囲環境の変化に伴うＲＦＩＤメディアの誤検出を回避することができるリーダ／ライタ装置を提供することを目的とする。
【課題を解決するための手段】
【０００８】
上記目的を達成するために本発明は、
ＲＦＩＤメディアを検出するための検出用信号を出力する検出用信号出力手段と、
ＲＦＩＤメディアに対する通信用データを出力する制御手段と、
前記検出用信号出力手段から出力された検出用信号、及び前記制御手段から出力されて変調された通信用データを送信し、前記通信用データに対するＲＦＩＤメディアからの受信データを受信する送受信手段とを有し、
前記制御手段が、
前記検出用信号出力手段に前記検出用信号を一定時間毎に間欠出力させて当該検出用信号を一定時間毎に前記送受信手段を介して間欠送信するとともに、周囲環境による前記送受信手段における前記検出用信号の値の変化を検出する動作を行う低消費電力モードと、
前記通信用データを出力して当該通信用データを送受信手段を介して送信するとともに、前記受信データを前記送受信手段を介して受信する動作を行う通常電力モードとを有し、
前記低消費電力モードにて前記送受信手段における前記検出用信号の値が基準値として設定された値から変化した場合に前記通常電力モードに移行し、前記通常電力モードにおける処理が終了した場合または前記通常電力モードにて前記通信用データに対する受信データが前記送受信手段を介して受信されない場合に前記低消費電力モードに移行するリーダ／ライタ装置において、
前記制御手段は、前記低消費電力モードとして動作を開始する際に、前記送受信手段における前記検出用信号の値を前記基準値として設定することを特徴とする。
【０００９】
上記のように構成された本発明においては、低消費電力モードにおいて、ＲＦＩＤメディアを検出するための検出用信号が送受信手段を介して一定時間毎に間欠送信されており、この検出用信号送受信手段における値が基準値として設定された値から変化した場合に、ＲＦＩＤメディアが近接していると判断され、通常電力モードに移行する。そして、通常電力モードにおいて、通信用データが送受信手段を介して送信され、この通信用データに対するＲＦＩＤメディアからの受信データが受信されることにより、ＲＦＩＤメディアに対する情報の書き込みや読み出しが行われる。その後、通常電力モードにおける処理が終了した場合や、通常電力モードに移行して通信用データが送信されたものの、この通信用データに対する受信データが送受信手段を介して受信されない場合に低消費電力モードに移行する。このように、検出用信号を一定時間毎に間欠送信する低消費電力モードにおいてＲＦＩＤメディアの近接を判断し、その後、通常電力モードに移行し、ＲＦＩＤメディアに対する情報の書き込みや読み出しを行うことにより、省電力化が図られている。ところが、リーダ／ライタ装置に金属等が近接することでリーダ／ライタ装置の周囲環境が変化すると、送受信手段における検出用信号の値が変化してしまう。そのため、リーダ／ライタ装置にＲＦＩＤメディアが近接していない状態であっても、検出用信号の値が基準値として設定された値から変化してしまい、リーダ／ライタ装置にＲＦＩＤメディアが近接していないにも関わらず、ＲＦＩＤメディアが近接していると判断されたり、その後、リーダ／ライタ装置にＲＦＩＤメディアが近接した状態となっても、ＲＦＩＤメディアが近接していないと判断されたりしてしまう虞れがある。そこで、制御手段において、低消費電力モードとして動作を開始する際に、送受信手段における検出用信号の値を基準値として設定する。これにより、リーダ／ライタ装置の周囲環境が変化した場合であっても、変化した周囲環境における検出用信号の値を基準値として、ＲＦＩＤメディアが近接していると判断されることになり、周囲環境の変化に伴うＲＦＩＤメディアの誤検出が回避されることになる。
【発明の効果】
【００１０】
本発明によれば、ＲＦＩＤメディアを検出するための検出用信号を一定時間毎に送受信手段を介して間欠送信するとともに、周囲環境による送受信手段における検出用信号の値の変化を検出する動作を行う低消費電力モードと、通信用データを送受信手段を介して送信するとともに、この通信用データに対するＲＦＩＤメディアからの受信データを送受信手段を介して受信する動作を行う通常電力モードとを有し、低消費電力モードにて送受信手段における検出用信号の値が基準値として設定された値から変化した場合に通常電力モードに移行し、通常電力モードにおける処理が終了した場合または通常電力モードにて通信用データに対する受信データが送受信手段を介して受信されない場合に低消費電力モードに移行する構成であることにより、省電力化を図ることができる。また、制御手段が、低消費電力モードとして動作を開始する際に、送受信手段における検出用信号の値を基準値として設定する構成であることにより、周囲環境が変化した場合であっても、変化した周囲環境における検出用信号の値を基準値として、ＲＦＩＤメディアが近接していると判断されることになり、周囲環境の変化に伴うＲＦＩＤメディアの誤検出を回避することができる。
【図面の簡単な説明】
【００１１】
【図１】本発明のリーダ／ライタ装置の実施の一形態を示すブロック図である。
【図２】図１に示したリーダ／ライタ装置の動作を説明するためのフローチャートである。
【図３】図１に示したリーダ／ライタ装置の動作を説明するためのタイミングチャートである。
【図４】図１に示したリーダ／ライタ装置における、キャリア波の変化を説明するための図であり、（ａ）は波形を示す図、（ｂ）はその変化をディジタル値として捉える方法を説明するための図である。
【図５】図４に示したキャリア波に基づいて設定された基準値を示す図であり、（ａ）は基準値による波形イメージを示す図、（ｂ）は基準値の位相と振幅を示す図である。
【発明を実施するための形態】
【００１２】
以下に、本発明の実施の形態について図面を参照して説明する。
【００１３】
図１は、本発明のリーダ／ライタ装置の実施の一形態を示すブロック図である。
【００１４】
図１に示すように、本形態におけるリーダ／ライタ装置１０は、ＲＦＩＤメディアとなるＩＣカード４０に対して非接触状態にて情報の書き込みや読み出しを行うものであって、アンテナコイル１１と、キャパシタ１２と、ＲＦネットワーク１３と、符号化回路１９ａと、発振器１５と、変調器１６と、送信アンプ１４と、直交検波器２０と、受信アンプ１７ａ，１７ｂと、Ａ／Ｄ変換器１８ａ，１８ｂと、復号回路１９ｂと、マイコン３０とを有している。
【００１５】
直交検波器２０は、ミキサー２１ａ，２１ｂと、位相シフト器２２とを有している。マイコン３０は、本願発明における制御手段となるものであって、ＩＱ値検知部３１と、データ送受信部３２と、比較部３３と、記憶部３４と、設定部３５とを有している。
【００１６】
符号化回路１９ａは、マイコン３０から出力された問いかけ信号や送信データ列からなるＲＦＩＤメディアに対する通信用データを符号化する。
【００１７】
発振器１５は、本願発明における検出用信号出力手段となるものであって、１３．５６ＭＨｚの信号を発生し、検出用信号として出力する。
【００１８】
変調器１６は、符号化回路１９ａにて符号化された通信用データを、発振器１５から出力された信号からなるキャリア波に乗せることで、発振器１５から出力されたキャリア波を変調する。
【００１９】
送信アンプ１４は、変調器１６にて変調されたキャリア波や、発振器１５から出力されたキャリア波を増幅させる。
【００２０】
ＲＦネットワーク１３は、本願発明における送受信手段となるものであって、送信アンプ１４にて増幅されたキャリア波をアンテナコイル１１を介して送信したり、通信用データに対するＩＣカード４０からの受信データをアンテナコイル１１を介して受信したりする。また、ＲＦネットワーク１３では、アンテナコイル１１及びキャパシタ１２のインピーダンスの変化によってキャリア波の振幅及び位相が変化する。
【００２１】
アンテナコイル１１は、キャパシタ１２と並列に接続されており、ＲＦネットワーク１３によって送信されるキャリア波やキャリア波に乗せられた通信用データを、電磁波を放射することによって送信し、また、電磁波を受信することによって、通信用データに対するＩＣカード４０からの受信データを受信する。
【００２２】
ミキサー２１ａは、ＲＦネットワーク１３にて受信された、通信用データに対するＩＣカード４０からの受信データに、発振器１５から出力された１３．５６ＭＨｚの信号を乗算し、通信用データに対するＩＣカード４０からの受信データのＩ成分を出力する。また、ＲＦネットワーク１３から取り出したキャリア波に、発振器１５から出力された１３．５６ＭＨｚの信号を乗算し、キャリア波のＩ成分を出力する。
【００２３】
位相シフト器２２は、発振器１５から出力された１３．５６ＭＨｚの信号の位相を９０°変化させる。
【００２４】
ミキサー２１ｂは、ＲＦネットワーク１３にて受信された、通信用データに対するＩＣカード４０からの受信データに、発振器１５から出力されて位相シフト器２２にて９０°位相が変化した１３．５６ＭＨｚの信号を乗算し、通信用データに対するＩＣカード４０からの受信データのＱ成分を出力する。また、ＲＦネットワーク１３から取り出したキャリア波に、発振器１５から出力されて位相シフト器２２にて９０°位相が変化した１３．５６ＭＨｚの信号を乗算し、キャリア波のＱ成分を出力する。
【００２５】
受信アンプ１７ａは、ミキサー２１ａから出力された、キャリア波や通信用データに対するＩＣカード４０からの受信データのＩ成分を増幅するとともに高周波成分を除去して出力する。
【００２６】
受信アンプ１７ｂは、ミキサー２１ｂから出力された、キャリア波や通信用データに対するＩＣカード４０からの受信データのＱ成分を増幅するとともに高周波成分を除去して出力する。
【００２７】
Ａ／Ｄ変換器１８ａは、受信アンプ１７ａから出力された、キャリア波のＩ成分をディジタル値に変換して出力する。
【００２８】
Ａ／Ｄ変換器１８ｂは、受信アンプ１７ｂから出力された、キャリア波のＱ成分をディジタル値に変換して出力する。
【００２９】
復号回路１９ｂは、受信アンプ１７ａ，１７ｂから出力された、通信用データに対するＩＣカード４０からの受信データを復号する。
【００３０】
ＩＱ値検知部３１は、Ａ／Ｄ変換器１８ａ，１８ｂから出力された、キャリア波のＩ成分及びＱ成分のディジタル値が入力され、このディジタル値に基づいて、キャリア波のＩ値及びＱ値を検知する。
【００３１】
設定部３５は、後述する低消費電力モードとして動作を開始する際に、ＲＦネットワーク１３におけるキャリア波のＩ値及びＱ値のディジタル値を基準値として設定し、記憶部３４に記憶させる。
【００３２】
記憶部３４は、設定部３５にて設定された基準値を記憶する。
【００３３】
比較部３３は、ＩＱ値検知部３１にて検知された、キャリア波のＩ値及びＱ値と、記憶部３４に記憶された基準値とを比較し、比較結果を出力する。
【００３４】
データ送受信部３２は、比較部３３から出力された比較結果が、ＩＱ値検知部３１にて検知されたキャリア波のＩ値及びＱ値が、記憶部３４に記憶された基準値から変化したものである場合、通信用データの送信を開始し、問いかけ信号の出力及びその後の送信データの出力を行い、また、復号回路１９ｂにて復号された受信データを受信する。
【００３５】
このように構成されたリーダ／ライタ装置１０は、低消費電力モードと通常電力モードとを有している。低消費電力モードにおいては、マイコン３０は、発振器１５から出力されたキャリア波を、ＲＦネットワーク１３及びアンテナコイル１１を介して一定時間毎に間欠送信するとともに、周囲環境によるＲＦネットワーク１３におけるキャリア波のＩ値及びＱ値の変化を検出する動作を行う。通常電力モードにおいては、マイコン３０は、ＩＣカード４０に対する通信用データを、ＲＦネットワーク１３及びアンテナコイル１１を介して送信するとともに、通信用データに対するＩＣカード４０からの受信データを受信する動作を行う。そして、通常電力モードにおいて、マイコン３０にてＲＦネットワーク１３及びアンテナコイル１１を介して通信用データ及び受信データの送受信を行うことで、ＩＣカード４０に対する情報の書き込みや読み出しを行うことになる。
【００３６】
リーダ／ライタ装置１０との間にて非接触状態にてデータの送受信を行うＩＣカード４０は、ＩＣカードデバイス４１と、アンテナ４２と、キャパシタ４３とを有している。
【００３７】
ＩＣカードデバイス４１は、リーダ／ライタ装置１０から送信された問いかけ信号に対して応答した後、リーダ／ライタ装置１０との間にて決められたプロトコルに従って、情報の送受信をアンテナ４２を介して行う。
【００３８】
以下に、上述したリーダ／ライタ装置１０の動作について説明する。
【００３９】
図２は、図１に示したリーダ／ライタ１０の動作を説明するためのフローチャートである。また、図３は、図１に示したリーダ／ライタ装置１０の動作を説明するためのタイミングチャートである。
【００４０】
図１に示したリーダ／ライタ装置１０は、上述したように低消費電力モードと通常電力モードとの２つのモードを有しており、ＩＣカード４０に対する情報の書き込みや読み出しを行っていない状態においては、低消費電力モードとして動作を行う（ステップ１）。
【００４１】
リーダ／ライタ装置１０が低消費電力モードとして動作を開始する場合は、まず、発振器１５からキャリア波が一定時間毎に間欠出力され、出力されたキャリア波のみが変調器１６及び送信アンプ１４を介してＲＦネットワーク１３に送られ、アンテナコイル１１を介して送信される（ステップ２）。この発振器１５からのキャリア波の間欠出力及びこのキャリア波のみの間欠送信は、マイコン３０の制御によって行ってもよく、またその他の制御手段を用いて行ってもよい。
【００４２】
ＲＦネットワーク１３に送られたキャリア波は、ＲＦネットワーク１３から見たアンテナコイル１１及びキャパシタ１２のインピーダンスの変化の影響を受け、ＲＦネットワーク１３においてその振幅及び位相が変化する。
【００４３】
アンテナコイル１１及びキャパシタ１２のインピーダンスの変化の影響を受け、ＲＦネットワーク１３にて振幅及び位相が変化したキャリア波は、直交検波器２０にてＩ成分とＱ成分とが抽出され、それぞれ受信アンプ１７ａ，１７ｂ及びＡ／Ｄ変換器１８ａ，１８ｂを介してディジタル値のＩ値及びＱ値としてマイコン３０のＩＱ値検知部３１にて検知される。
【００４４】
そして、マイコン３０の設定部３５において、ＩＱ値検知部３１にてＩ値及びＱ値が検知されたキャリア波が、現在の低消費電力モードにて最初に間欠送信されたキャリア波である場合（ステップ３）、ＩＱ値検知部３１にて検知されたキャリア波のＩ値及びＱ値が、リーダ／ライタ装置１０にＩＣカード４０が近接しているかどうかを判断するための基準値として設定され、記憶部３４に記憶される（ステップ４）。この設定部３５における動作を、キャリブレーションと称する。
【００４５】
その後、低消費電力モードにおいて、ＩＣカード４０が近接しているかどうかのカード検出動作に移行し、図３に示すように、発振器１５から引き続きキャリア波が一定時間毎に間欠出力され、出力されたキャリア波のみが変調器１６及び送信アンプ１４を介してＲＦネットワーク１３に送られ、アンテナコイル１１を介して、一定時間毎に間欠送信される。
【００４６】
ＲＦネットワーク１３に送られたキャリア波は、上述したように、ＲＦネットワーク１３から見たアンテナコイル１１及びキャパシタ１２のインピーダンスの変化の影響を受け、ＲＦネットワーク１３においてその振幅及び位相が変化する。
【００４７】
アンテナコイル１１及びキャパシタ１２のインピーダンスの変化の影響を受け、ＲＦネットワーク１３にて振幅及び位相が変化したキャリア波は、直交検波器２０にてＩ成分とＱ成分とが抽出され、それぞれ受信アンプ１７ａ，１７ｂ及びＡ／Ｄ変換器１８ａ，１８ｂを介してディジタル値のＩ値及びＱ値としてマイコン３０のＩＱ値検知部３１にて検知される。
【００４８】
すると、マイコン３０の比較部３３において、ＩＱ値検知部３１にて検知されたキャリア波のＩ値及びＱ値と、記憶部３４に記憶された基準値とが比較され、比較結果が出力される。なお、マイコン３０の設定部３５において基準値として設定されたＩ値及びＱ値は、比較部３３において、ＩＱ値検知部３１にて検知されたキャリア波のＩ値及びＱ値と比較できるような構成であれば、記憶部３４に記憶しておく必要はない。
【００４９】
ここで、リーダ／ライタ装置１０にＩＣカード４０が近接している場合と近接していない場合とでは、ＲＦネットワーク１３から見たアンテナコイル１１及びキャパシタ１２のインピーダンスの値が変化することにより、ＲＦネットワーク１３においてキャリア波の振幅及び位相が変化することになる。
【００５０】
図４は、図１に示したリーダ／ライタ装置１０における、キャリア波の変化を説明するための図であり、（ａ）は波形を示す図、（ｂ）はその変化をディジタル値として捉える方法を説明するための図である。
【００５１】
図４（ａ）に示すように、リーダ／ライタ装置１０から送信されたキャリア波は、リーダ／ライタ装置１０にＩＣカード４０が近接している場合（一点鎖線にて図示）と、ＩＣカード４０が近接していない場合（破線にて図示）とで、ＲＦネットワーク１３においてその波形の位相及び振幅が互いに異なるものとなる。
【００５２】
そこで、図４（ｂ）に示すように、ＩＱ値検知部３１において、この位相及び振幅の変化をディジタル値として捉えることにより、リーダ／ライタ装置１０にＩＣカード４０が近接しているかどうかを判断することができる。
【００５３】
リーダ／ライタ装置１０においては、低消費電力モードとして動作を開始する際に、この低消費電力モードにて最初にアンテナコイル１１を介して間欠送信されたキャリア波のＩ値及びＱ値がディジタル値としてＩＱ値検知部３１にて検知され、基準値として記憶部３４に記憶されている。
【００５４】
そのため、その後、ＩＱ値検知部３１にて検知されたＩ値及びＱ値と記憶部３４に基準値として記憶されたＩ値及びＱ値とが比較され、ＩＱ値検知部３１にて検知されたＩ値及びＱ値が、記憶部３４に基準値として記憶されたＩ値及びＱ値から変化した場合、リーダ／ライタ装置１０にＩＣカード４０が近接していると判断することができる。
【００５５】
このようにして、ＩＱ値検知部３１にて検知されたＩ値及びＱ値と記憶部３４に基準値として記憶されたＩ値及びＱ値とが比較され、ＩＱ値検知部３１にて検知されたＩ値及びＱ値が、記憶部３４に基準値として記憶されたＩ値及びＱ値から変化してその旨が比較結果として比較部３３から出力されると（ステップ５）、マイコン３０の制御によってリーダ／ライタ装置１０が通常電力モードに移行し（ステップ６）、図３に示すようにデータ送受信部３２において通信用データの出力が開始され、問いかけ信号が出力されることにより、所定のプロトコルに基づいてポーリングが開始される。
【００５６】
データ送受信部３２から出力された問いかけ信号は、符号化回路１９ａにて符号化され、変調器１６にて発振器１５から出力されたキャリア波に乗せられ、それによりキャリア波が変調され、送信アンプ１５、ＲＦネットワーク１３及びアンテナコイル１１を介して送信されることになる（ステップ７）。
【００５７】
その後、問いかけ信号に対してＩＣカード４０から応答信号が送信されると、この応答信号が、アンテナコイル１１及びＲＦネットワーク１３を介して受信データとして受信される。そして、この受信データが復号回路１９ｂにて復号され、問いかけ信号に対するＩＣカード４０からの応答信号であると判断されると（ステップ８）、ＩＣカード４０に送信すべき送信データ列がデータ送受信部３２から出力される。
【００５８】
データ送受信部３２から出力された送信データ列は、符号化回路１９ａにて符号化され、変調器１６にて発振器１５から出力されたキャリア波に乗せられ、それによりキャリア波が変調され、送信アンプ１５、ＲＦネットワーク１３及びアンテナコイル１１を介して送信されることになる。
【００５９】
そして、この送信データ列に対するＩＣカード４０からの受信データ列がアンテナコイル１１及びＲＦネットワーク１３を介して受信されると、受信された受信データ列は、直交検波器２０にて検波され、受信アンプ１７ａ，１７ｂを介して復号回路１９ｂに入力され、復号回路１９ｂにて復号された受信データ列がデータ送受信部３２に入力され、図３に示すように、リーダ／ライタ装置１０とＩＣカード４０との間にてデータの送受信が行われることになる（ステップ９）。
【００６０】
リーダ／ライタ装置１０は、例えば、プリンタ装置等のホストに接続されており、ＩＣカード４０とのデータの送受信動作にて受信されたＩＣカード４０のＩＤによって認証等が行われた後、ホストにウェイクアップコマンド等が送信されることによって、ＩＣカード４０の検出が通知される（ステップ１０）。この通知に基づき、ホストは印字出力等の通常動作の処理を行うことになる。なお、図３においては、ホストが通常動作の処理を行っている間、リーダ／ライタ装置１０とＩＣカード４０との間にてデータの送受信が継続して行われているように記載されているが、上述したように、ＩＣカード４０を用いた認証を行ってホストが通常動作の処理を行う場合等においては、通常動作の開始時にのみデータの送受信が行われればよい。
【００６１】
その後、ホストにて通常動作の処理が終了し、その旨がリーダ／ライタ装置１０に通知されると（ステップ１１）、通常電力モードにおける処理が終了したと判断され、ステップ１に戻り、図３に示すように、低消費電力モードに移行し、再度キャリブレーションが実行され、この低消費電力モードにて最初に間欠送信されたキャリア波についてＩＱ値検知部３１にて検知されたＩ値及びＱ値が基準値として設定される。
【００６２】
一方、問いかけ信号に対する応答がない場合は、ＩＱ値検知部３１にて検知されたＩ値及びＱ値の変化が、ＩＣカード４０がリーダ／ライタ装置１０に近接したことによるものではなく、リーダ／ライタ装置１０の近傍に金属等が存在することによる周囲環境の変化によるものであると判断され、ステップ１に戻り、低消費電力モードに移行し、再度キャリブレーションが実行され、この低消費電力モードにて最初に間欠送信されたキャリア波についてＩＱ値検知部３１にて検知されたＩ値及びＱ値が基準値として設定される。
【００６３】
図５は、図４に示したキャリア波に基づいて設定された基準値を示す図であり、（ａ）は基準値による波形イメージを示す図、（ｂ）は基準値の位相と振幅を示す図である。
【００６４】
上述したように、問いかけ信号に対する応答がない場合、低消費電力モードに移行し、この低消費電力モードにて最初に間欠送信されたキャリア波についてＩＱ値検知部３１にて検知されたＩ値及びＱ値が基準値として設定されることになるが、この際に設定されるＩ値とＱ値は、通常電力モードから低消費電力モードに移行するまでの間に周囲環境に何ら変化がなければ、問いかけ信号を送信している状態におけるキャリア波のＩ値及びＱ値であるため、キャリア波の波形で示すと、図５（ａ）に示すように、リーダ／ライタ装置１０にＩＣカード４０が近接しているものとして図４（ａ）にて一点鎖線にて示した波形が、新たに基準値による波形となる。
【００６５】
そして、リーダ／ライタ装置１０にＩＣカード４０が近接しているものとして図４（ｂ）にて示した振幅及び位相によるＩ値とＱ値とが、基準値として設定されることになる。
【００６６】
これにより、移行した低消費電力モードにおいては、変化した周囲環境によるＲＦネットワーク１３におけるキャリア波のＩ値及びＱ値を基準値として、リーダ／ライタ装置１０にＩＣカード４０が近接しているかどうかが判断され、それにより、リーダ／ライタ装置１０の近傍に金属等が存在している環境においても、ＩＣカード４０の誤検出が回避されることになる。
【００６７】
上述したように本形態のリーダ／ライタ装置１０においては、キャリア波を一定時間毎にＲＦネットワーク１３及びアンテナコイル１１を介して間欠送信するとともに、周囲環境によるＲＦネットワーク１３におけるキャリア波のＩ値及びＱ値の変化を検出する動作を行う低消費電力モードと、通信用データをＲＦネットワーク１３及びアンテナコイル１１を介して送信するとともに、通信用データに対する受信データをＲＦネットワーク１３及びアンテナコイル１１を介して受信する動作を行う通常電力モードとを有し、低消費電力モードにてキャリア波のＲＦネットワーク１３におけるＩ値及びＱ値が基準値として設定された値から変化した場合に通常電力モードに移行し、通常電力モードにおける処理が終了した場合または通常電力モードにて問いかけ信号に対する受信データがＲＦネットワーク１３及びアンテナコイル１１を介して受信されない場合に低消費電力モードに移行する構成であることにより、省電力化を図ることができる。また、マイコン３０において、低消費電力モードとして動作を開始する際に、その低消費電力モードにて最初にＲＦネットワーク１３及びアンテナコイル１１を介して送信したキャリア波のＲＦネットワーク１３におけるＩ値及びＱ値を基準値として設定する構成であることにより、低消費電力モードとして動作を開始した直後の周囲環境によるＲＦネットワーク１３におけるキャリア波のＩ値及びＱ値を基準値として、ＩＣカード４０が近接しているかどうかが判断されることになる。それにより、リーダ／ライタ装置１０の周囲環境が変化した場合であっても、変化した周囲環境におけるキャリア波のＩ値及びＱ値を基準値として、ＩＣカード４０が近接しているかどうかが判断されることになり、周囲環境の変化に伴うＩＣカード４０の誤検出を回避することができる。
【００６８】
なお、本形態においては、低消費電力モードとして動作を開始する際に、その低消費電力モードにて最初にＲＦネットワーク１３及びアンテナコイル１１を介して送信したキャリア波のＲＦネットワーク１３におけるＩ値及びＱ値を基準値として設定しているが、低消費電力モードとして動作を開始する際に、低消費電力モードとは別個にキャリブレーションを実行する構成であってもよい。そのような構成においては、記憶部３４に基準値となるＩ値及びＱ値が記憶されており、実行されたキャリブレーションによって検出されたＩ値及びＱ値が新たに基準値として設定され、記憶部３４に記憶されることになる。そして、低消費電力モードに移行し、ＲＦネットワーク１３及びアンテナコイル１１を介して送信したキャリア波のＲＦネットワーク１３におけるＩ値及びＱ値と、記憶部３４に基準値として記憶されたＩ値及びＱ値とが比較され、Ｉ値及びＱ値の変化が検出された場合に、リーダ／ライタ装置１０にＩＣカード４０が近接しているものと判断されることになる。
【００６９】
また、本形態においては、検出用信号として、マイコン３０のデータ送受信部３２から出力される通信用データを送信するために発振器１５から出力されるキャリア波を用いたが、検出用信号としては、リーダ／ライタ装置１０にＩＣカード４０が近接した場合にＲＦネットワーク１３においてＩ値やＱ値等の値が変化するものであれば、キャリア波に限らない。
【符号の説明】
【００７０】
１０    リーダ／ライタ装置
１１，４２    アンテナコイル
１２，４３    キャパシタ
１３    ＲＦネットワーク
１４    送信アンプ
１５    発振器
１６    変調器
１７ａ，１７ｂ    受信アンプ
１８ａ，１８ｂ    Ａ／Ｄ変換器
１９ａ    符号化回路
１９ｂ    復号回路
２０    直交検波器
２１ａ，２１ｂ    ミキサー
２２    位相シフト器
３０    マイコン
３１    ＩＱ値検知部
３２    データ送受信部
３３    比較部
３４    記憶部
３５    設定部
４０    ＩＣカード
４１    ＩＣカードデバイス
【図１】
0006422336.tif 000002
【図２】
0006422336.tif 000003
【図３】
0006422336.tif 000004
【図４】
0006422336.tif 000005
【図５】
0006422336.tif 000006